(57)【要約】【課題】内視鏡の使用時間に応じた容量の電池を選択でき、しかもこの選択が簡単な構成で可能となり、内視鏡操作部からのオーバーハング量の短縮化を図れるようにする。【解決手段】内視鏡操作部から所定方向へ突出する光源ボックス１４において、このボックス本体を、操作部に取り付けられる前側支持体１６と、この前側支持体１６に着脱自在となる後側支持体で、小さい方の電池２４Ａを収納する大きさの後側支持体１１７、及び大きい方の電池２４Ｂを収納する大きさの後側支持体２１７を設ける。この後側支持体１１７，２１７の内側面側には、回転スイッチ部２９のスイッチ動作を行うため、周方向の一部に切り欠きを形成した円筒導通体１２８，２２８と、回転スイッチ部２９の回転に応じて動く可動接片３１とが配置されるが、この円筒導通体１２８，２２８の壁厚を調整することで、異なる径の電池２４Ａ，２４Ｂが確実に保持される。【選択図】図１
2010005219.tif 000002
【特許請求の範囲】
【請求項１】
内視鏡操作部から所定方向へ突出するように配置され、電池を収納する内視鏡用電池ボックスにおいて、
上記操作部に取り付けられる前側支持体とこの前側支持体に着脱自在に接続される後側支持体とからボックス本体を構成し、
上記後側支持体として、異なる大きさの各種の電池のそれぞれが収納される大きさの電池収納部を持ち、かつ上記前側支持体に対する接続部を共通とする複数の後側支持体を設けたことを特徴とする内視鏡用電池ボックス。
【請求項２】
上記後側支持体には、その電池収納部の側面と電池との間に円筒体を設け、この円筒体の壁厚を調整することで、異なる径の電池を収納可能にしたことを特徴とする請求項１記載の内視鏡用電池ボックス。
【請求項３】
上記後側支持体に回転スイッチ部を設け、
上記電池収納部の内側面側に、周方向の一部に切り欠きを形成した円筒導通体を固定すると共に、上記回転スイッチ部に固定された可動接片を配置し、この可動接片が上記切り欠きに移動したときオフ状態、この円筒導通体側面に接触したときオン状態となるように構成し、
上記円筒導通体の壁厚を調整することで、異なる径の電池を収納可能にしたことを特徴とする請求項１又は２記載の内視鏡用電池ボックス。
【発明の詳細な説明】
【技術分野】
【０００１】
本発明は内視鏡用電池ボックス、特に携帯用内視鏡等の操作部から突出して設けられ、電源となる電池を収納し、光源等の機能を果たす機能性ボックスの構造に関する。
【背景技術】
【０００２】
内視鏡装置は、光源を用いて、内視鏡（スコープ）の先端部から被観察体へ照明光を照射し、この照明された被観察体を光学的に、又は固体撮像素子等を用いて電子的に観察するものである。一方、近年では、設備の整った施設以外の各種場所での使用、ベッドサイドでの使用、緊急時の使用等を可能にするため、内視鏡装置の携帯化が進められており、この携帯用内視鏡等では、内視鏡の操作部に設けられたボックスに、例えばＬＥＤ光源と電池を配置することが行われる。
【０００３】
図６には、従来の携帯用内視鏡の構成が示されており、図示されるように、内視鏡は、先端部１Ａ、湾曲部及び軟性部１Ｂ、操作部１Ｃからなる。この操作部１Ｃには、鉗子口２や接眼部（対物光学系）３が設けられると共に、内視鏡軸方向に対し垂直方向に、電池を収納した光源ボックス（電池ボックスでもある）４が取り付けられている。
【特許文献１】特開２０００−５６２３９号公報
【発明の開示】
【発明が解決しようとする課題】
【０００４】
しかしながら、従来の携帯用内視鏡では、図６に示されるように、電池が収納される光源ボックス４が操作部１Ｃの内視鏡軸方向から垂直方向に突出して設けられており、このオーバーハング量（突出量）Ｌが長いと、この光源ボックス４が術者の内視鏡操作を阻害するという問題がある。即ち、術者は、操作部１Ｃの鉗子口２と光源ボックス４との間の部分を片手で持ちながら操作することになるが、光源ボックス４が長いと、術者の腕等に当たったり、内視鏡軸中心の回転モーメントが大きくなったりすることで、操作性が悪くなる。従って、電池が収納される光源ボックス４のオーバーハング量Ｌは、極力短くすることが要請される。
【０００５】
そのようなことから従来では、極力、短い電池を使用してオーバーハング量Ｌを小さくすることが行われるが、短い電池はその分、容量が少なく、使用（観察や処置）中の電池交換の頻度が増えるという不都合がある。一方、携帯用内視鏡による観察又は処置の時間は、目的によって異なり、容量の少ない短い電池でもよい場合もあり、使用時間に応じた容量の電池が選択できれば便利である。
【０００６】
また、従来では、上記特許文献１に示されるように、長時間観察に対応するため、電池を収納したバッテリ式光源に対し、補助電池を設けた補助電源ユニットを着脱自在に取り付けるようにしたものも存在する。しかし、この場合は、別体となる補助電源ユニットを付加するため、構成が複雑になる。
【０００７】
本発明は上記問題点に鑑みてなされたものであり、その目的は、内視鏡の使用時間に応じた容量の電池を選択することができ、しかもこの選択が簡単な構成で可能となり、内視鏡操作部からのオーバーハング量の短縮化を図ることができる内視鏡用電池ボックスを提供することにある。
【課題を解決するための手段】
【０００８】
上記目的を達成するために、請求項１の発明は、内視鏡操作部から所定方向へ突出するように配置され、電池を収納する内視鏡用電池ボックスにおいて、上記操作部に取り付けられる前側支持体とこの前側支持体に着脱自在に接続される後側支持体とからボックス本体を構成し、上記後側支持体として、異なる大きさの各種の電池のそれぞれが収納される大きさの電池収納部を持ち、かつ上記前側支持体に対する接続部を共通とする複数の後側支持体を設けたことを特徴とする。
請求項２に係る発明は、上記後側支持体には、その電池収納部の側面と電池との間に円筒体を設け、この円筒体の壁厚（肉厚）を調整することで、異なる径の電池を収納可能にしたことを特徴とする。
請求項３に係る発明は、上記後側支持体に回転スイッチ部を設け、上記電池収納部の内側面側（電池の側面側）に、周方向の一部に切り欠きを形成した円筒導通体を固定すると共に、上記回転スイッチ部に固定された可動接片を配置し、この可動接片が上記切り欠きに移動したときオフ状態、この円筒導通体側面に接触したときオン状態となるように構成し、上記円筒導通体の壁厚を調整することで、異なる径の電池を収納可能にしたことを特徴とする。
【０００９】
上記構成によれば、大きさ（容量）の異なる各種の電池に対応した大きさの後側支持体が複数、用意され、またこれらの後側支持体の前側支持体に対する接続部として、共通の接続部が設けられるので、内視鏡の使用（観察、処置）時間の長短に応じた容量の電池を装着して用いることができる。
【発明の効果】
【００１０】
本発明の内視鏡用電池ボックスによれば、内視鏡の使用時間に応じた容量の電池を選択することができ、しかもこの選択が簡単な構成で可能となり、内視鏡操作部からのオーバーハング量の短縮化を図ることができるという効果がある。
また、請求項２及び３の構成によれば、円筒体又は円筒導通体の壁厚を変えるだけで、後側支持体の側面の厚みを変えることなく、電池の径方向の大きさに対応し、径の異なる電池を確実に保持できるという利点がある。
【発明を実施するための最良の形態】
【００１１】
図１乃至図５には、実施例に係る内視鏡用電池ボックスの２種類の構成が示されており、この実施例は、収納した電池で光源を点灯させる光源ボックス（機能性ボックス）である。この光源ボックス１４は、図６で説明した内視鏡と同様に、内視鏡操作部（１Ｃ）において、内視鏡軸から垂直方向に突出するように配置されたものである。図１は、２種類の光源ボックス１４の断面、図２は光源ボックス１４内の電池周辺の各部材の分解図を示したものである。
【００１２】
図１（Ａ），（Ｂ）に示されるように、実施例の２種類の光源ボックス１４は、内視鏡操作部に取り付けるための取付け部１５を有する中空の前側（図の右側）支持体（共通の前側支持体）１６と、この前側支持体１６に対し着脱自在となり、電池収納部１７ａを有する中空の後側支持体１１７及び電池収納部１７ｂを有する中空の後側支持体２１７とを備えてなる。即ち、図３にも示されるように、後側支持体１１７，２１７の先端外周に設けられた共通（同じ形状）の雄ネジ部１８を、前側支持体１６の後端内周に設けられた雌ネジ部１９に螺合することで、両者が結合・固定される。また、この後側支持体１１７と２１７は、壁の壁厚は同一で、長さだけが相違する。
【００１３】
実施例では、例えば内視鏡の使用時間が５０分程度となるＣＲ２（直径１５．６ｍｍ、長さ２６．４ｍｍ）の小さい方の第１電池２４Ａと、９０分程度となるＣＲ１２３（直径１６．５ｍｍ、長さ３４．４ｍｍ）の大きい方の第２電池２４Ｂが用いられており、上記後側支持体１１７の電池収納部１７ａに第１電池２４Ａが収められ、後側支持体２１７の電池収納部１７ｂに第２電池２４Ｂが収められる。
【００１４】
上記前側支持体１６内には、光学レンズが設けられると共に、固定用板にＬＥＤを搭載したＬＥＤ部２１、このＬＥＤを駆動するためのＬＥＤ駆動回路（定電流回路等）２２ａ等を前側面に搭載した回路基板２２が配置される。この回路基板２２の後側面には、その中心部に第１及び第２の電池２４Ａ，２４Ｂの正（＋）電極が接触する電池接続用接片２５が設けられると共に、この接片２５の外側に、円周方向に沿う弧形状のバネ状接片２６が設けられており、このバネ状接片２６は、ＬＥＤ駆動回路２２ａの負側電源線に接続されている。
【００１５】
一方、図１（Ａ）の後側支持体１１７には、上記電池収納部１７ａ内における第１電池２４Ａの外側の位置に、スイッチ用固定導通体である円筒導通体１２８が配置されており、図２（Ａ）に示されるように、この円筒導通体１２８の後端には、スイッチオフ用の切り欠き２８ａが設けられ、この切り欠き２８ａが存在する部分の円筒外側面がスイッチオン用の摺動端子部となる。なお、切り欠き２８ｂは、円筒導通体１２８を後側支持体１６の内面に固定するためのものである。
【００１６】
また、図１（Ｂ）の後側支持体２１７でも、上記電池収納部１７ｂ内における第２電池２４Ｂの外側の位置に、円筒導通体２２８が配置されており、図２（Ｂ）に示されるように、この円筒導通体２２８の後端には、スイッチオフ用の切り欠き２８ａ及び固定用切り欠き２８ｂが設けられ、この切り欠き２８ａが存在する部分の円筒外側面がスイッチオン用の摺動端子部となる。
【００１７】
そして、実施例では、上記円筒導通体１２８の壁の厚さを、円筒導通体２２８よりも厚くしている。即ち、上述のように、後側支持体１１７及び２１７の壁厚を同一にすることから、円筒導通体１２８，２２８の壁厚を変えることで、径の異なる第１電池２４Ａと第２電池２４Ｂに対応するようにしている。即ち、小さい方の第１電池２４Ａについては、円筒導通体１２８の壁厚を厚くし、大きい方の第２電池２４Ｂについては、円筒導通体２２８の壁厚を薄くすることで、径の異なる電池２４Ａ，２４Ｂが電池収納部１７ａ，１７ｂ内で動かないようにしっかりと保持される。なお、この円筒導通体１２８，２２８の外周の大きさは同じになる。
【００１８】
更に、上記後側支持体１１７，２１７の後側には、回転可能に椀形状の回転スイッチ部（電源投入スイッチであり、光源点灯スイッチでもある）２９が取り付けられており、この回転スイッチ部２９は、例えば後側支持体１１７，２１７側で円周方向に形成された長溝（ガイド溝）に、回転スイッチ部２９側のピンを係合させることで、オン、オフ動作に必要な所定の角度を回転するように構成される。そして、この回転スイッチ部２９に、電池２４Ａ，２４Ｂの負（−）電極が接触する電池接続用バネ状接片３０とスイッチ用可動接片（端子）３１が一体に形成された接片部３２が設けられる。
【００１９】
即ち、図２にも示されるように、上記バネ状接片３０は電池２４Ａ，２４Ｂの負電極へ向けた突部が形成されるように短冊状バネ板を折り曲げた接片であり、上記スイッチ用可動接片３１はこのバネ状接片３０の基端部板面から垂直に形成・配置され、かつ電池収納部１７ａ，１７ｂの内側面（円筒導通体１２８，２２８又は電池２４Ａ，２４Ｂの外周）に沿って弧状に曲げ形成されており、その先端には内側に突出する突部が形成された接片である。この接片部３２は、バネ状接片３０の基端部がネジ３３で固定される。
【００２０】
また、上記回転スイッチ部２９の椀形内底面に、上記スイッチ用可動接片３１の内側への移動を規制するためのボス（ピン状突起）３５が設けられている。このボス３５は、図５（Ａ）に示されるように、可動接片３１が円筒導通体２２８（１２８）の切り込み２８ａに移動したとき、可動接片３１が内側へ入り込まないように係止し、スイッチのオフ（ＯＦＦ）動作を確保し、かつ可動接片３１の電池２４Ｂ（２４Ａ）への接触を避けるストッパの役目をする。
【００２１】
実施例は以上の構成からなり、図１に示されるように、図２（Ａ），（Ｂ）のＬＥＤ部２１と回路基板２２は、前側支持体１６の内部に固定され、円筒導通体１２８，２２８は後側支持体１１７，２１７の電池収納部１７ａ，１７ｂに固定され、接片部３２は回転スイッチ部２９の底面に固定されることになり、上記前側支持体１６に、２種の後側支持体１１７，２１７が取り付け可能となる。
【００２２】
即ち、小さい容量の電池２４Ａを選択する場合は、図３（Ａ）に示されるように、後側支持体１１７内（電池収納部１７ａ）に電池２４Ａを入れた後、雄ネジ部１８を雌ネジ部１９に螺合させることで、図３（Ｂ）のように、後側支持体１１７が前側支持体１６に取り付けられる。また、大きい容量の電池２４Ｂを選択する場合は、図４（Ａ）に示されるように、後側支持体２１７内（電池収納部１７ｂ）に電池２４Ｂを入れた後、雄ネジ部１８を雌ネジ部１９に螺合させることで、図４（Ｂ）のように、後側支持体２１７が前側支持体１６に取り付けられる。
【００２３】
このようにして電池２４Ａ，２４Ｂを装着した状態では、図１に示されるように、それぞれの円筒導通体１２８，２２８の前側端が、ＬＥＤ駆動回路２２ａの負側電源線に接続されるバネ状接片２６に接触し、またスイッチ用可動接片３１がそれぞれの円筒導通体１２８，２２８の外周側へ配置された状態となる。
【００２４】
そして、回転スイッチ部２９をオン（ＯＮ）方向へ所定角度、回転させると、回転スイッチ部２９に固定された可動接片３１が、図５（Ａ）のオフ（ＯＦＦ）時の状態から図５（Ｂ）のオン時の状態に移動する。即ち、図５は、回転スイッチ部２９内の底面側を後側支持体２１７（１１７）の前側（開口側）から見たものであり、図５（Ａ）のオフ時では、スイッチ用可動接片３１がボス３５に係止された状態で円筒導通体２２８（１２８）の切り込み２８ａの位置にあり、回転スイッチ部２９でオン操作をすると、図５（Ｂ）のように、可動接片３１が回転して円筒導通体２２８（１２８）の外周（摺動端子部）に接触し、これによって、電源スイッチがオン状態となり、ＬＥＤ部２１が点灯される。
【００２５】
逆に、この図５（Ｂ）のＯＮ時の状態から、回転スイッチ部２９を反対のオフ方向へ回転させると、図５（Ａ）のように、可動接片３１が円筒導通体２２８（１２８）の切り込み２８ａの位置に移動するので、これによって、電源スイッチがオフ状態となり、ＬＥＤ部２１が消灯される。なお、このオフ時において、上記可動接片３１はボス３５によって係止されている。
【００２６】
上記実施例では、電池ボックスが光源ボックスである場合を説明したが、この光源を電池で駆動する場合に限らず、他の駆動部に電池電源を供給する電池収納機能性ボックスに、本発明を適用することが可能である。また、前側支持体１６と後側支持体１１７，２１７との接続に、螺合接続方式を説明したが、この螺合接続構造以外の例えばバネ式接続やカム溝式接続（バヨネット）等の他の接続方式を採用してもよい。
【図面の簡単な説明】
【００２７】
【図１】本発明の実施例に係る内視鏡用電池ボックス（光源ボックス）の２種類の構成を示し、図（Ａ）は小さい電池用の構成の断面図、図（Ｂ）は大きい電池用の構成の断面図である。
【図２】実施例の２種類の光源ボックス内の主要な部材を示し、図（Ａ）は小さい電池用の構成の分解斜視図、図（Ｂ）は大きい電池用の構成の分解斜視図である。
【図３】実施例における小さい電池用の光源ボックスの分離（支持体分離）状態［図（Ａ）］と結合状態［図（Ｂ）］を示す斜視図である。
【図４】実施例における小さい電池用の光源ボックスの分離（支持体分離）状態［図（Ａ）］と結合状態［図（Ｂ）］を示す斜視図である。
【図５】実施例の円筒導通体（大きい電池用の構成）に対するスイッチ用可動接片の動作を示し、図（Ａ）は回転スイッチ部のオフ時の図、図（Ｂ）はオン時の図である。
【図６】従来の内視鏡の全体構成を示す斜視図である。
【符号の説明】
【００２８】
１Ｃ…内視鏡操作部、        ４，１４…光源ボックス、
１６…前側支持体、          １１７，２１７…後側支持体、
１７ａ，１７ｂ…電池収納部、  ２１…ＬＥＤ部、
２２…回路基板、            ２４Ａ…第１電池、
２４Ｂ…第２電池、          ２６，３０…バネ状接片、
１２８，２２８…円筒導通体、  ２８ａ…切り欠き、
２９…回転スイッチ部、      ３１…スイッチ用可動接片、
３２…接片部。
【図１】
2010005219.tif 000003
【図２】
2010005219.tif 000004
【図３】
2010005219.tif 000005
【図４】
2010005219.tif 000006
【図５】
2010005219.tif 000007
【図６】
2010005219.tif 000008